(57)【特許請求の範囲】
【請求項１】
高低２音の繰り返しによるサイレン音用の信号を出力するサイレン音発生回路と、該サイレン音発生回路からの信号を増幅する増幅回路と、該増幅回路で増幅された信号でサイレン音を鳴動するスピーカーと、上記サイレン音の高低２音の周波数を共に低くする周波数低減回路と、上記サイレン音の出力を、道路運送車両の保安基準の範囲で小さくする出力低減回路と、サイレンスイッチと、住宅モードスイッチと、音量切換スイッチとを有し、
上記サイレンスイッチの入操作すると、上記住宅モードスイッチが自動的に入操作されて周波数低減回路が作動するとともに、上記音量切換スイッチが弱音量切換位置に自動的に選択されて出力低減回路が作動し、
この状態で上記住宅モードスイッチが切・入操作すると、上記周波数低減回路が停止・作動するとともに、上記音量切換スイッチが強・弱音量切換位置に切換操作されて上記出力低減回路が停止・作動することを特徴とする救急車用電子サイレン。
【発明の詳細な説明】
【０００１】
【発明の属する技術分野】
本発明は、救急車に用いられる電子サイレンに関するものである。
【０００２】
【従来の技術】
救急車、消防車等の緊急車両には、車両の接近を歩行者等に報知するためにサイレンが搭載されているが、救急車は比較的出動回数が多く、また、傷病者を搬送するため、そのサイレン音はソフトな音色の方が好都合である。そこで、救急車用のサイレン音は、消防車用のサイレン音とは区別され、高低２音による繰り返し音（所謂ピーポー音）が採用されている。このサイレン音は、発振器で高音（ピー音）の周波数（９６０Ｈｚ）と低音（ポー音）の周波数（７７０Ｈｚ）を連続的に繰り返して発振させることで、その発振信号を増幅器で増幅させてスピーカーより「ピーポー」と鳴動せられる。
【０００３】
【発明が解決しようとする課題】
ところで、従来の救急車用電子サイレンにあっては、救急車のいる周囲環境に関わらず、サイレン音の周波数および音圧が一定であるため、夜間や閑静な住宅地域、救急車の出動が頻繁な消防署周辺地域等においては迷惑がられることが多く、地域住民との騒音問題が懸念されている。
【０００４】
しかしながら、救急車としては、道路運送車両の保安基準上、緊急車両の前方２０ｍの位置において、９０ホーン以上１２０ホーン以下の音量を満足するようなサイレン音が求められるため、夜間の閑静な住宅地域であってもサイレンを鳴らして走行しなければならない。
【０００５】
本発明は、このような事情に鑑みてなされたもので、夜間や閑静な住宅地域、救急車の出動が頻繁な消防署周辺地域等においても迷惑とならず、かつ、道路運送車両の保安基準を満足できる救急車用電子サイレンを提供することを目的とする。
【０００６】
【課題を解決するための手段】
本発明は、上述した目的を達成するため、高低２音の繰り返しによるサイレン音用の信号を出力するサイレン音発生回路と、該サイレン音発生回路からの信号を増幅する増幅回路と、該増幅回路で増幅された信号でサイレン音を鳴動するスピーカーと、上記サイレン音の高低２音の周波数を共に低くする周波数低減回路と、上記サイレン音の出力を、道路運送車両の保安基準の範囲で小さくする出力低減回路と、サイレンスイッチと、住宅モードスイッチと、音量切換スイッチとを有し、上記サイレンスイッチの入操作すると、上記住宅モードスイッチが自動的に入操作されて周波数低減回路が作動するとともに、上記音量切換スイッチが弱音量切換位置に自動的に選択されて出力低減回路が作動し、この状態で上記住宅モードスイッチが切・入操作すると、上記周波数低減回路が停止・作動するとともに、上記音量切換スイッチが強・弱音量切換位置に切換操作されて上記出力低減回路が停止・作動することを特徴としている。
【０００７】
【発明の実施の形態】
以下、本発明の実施形態を図面に基づいて説明する。
【０００８】
図１は本発明の一実施形態を示すブロック図である。本発明の救急車用サイレンは、操作部１と、該操作部１の操作に従い標準モードのサイレン音、高音（ピー音）が周波数９６０Ｈｚ、低音（ポー音）が周波数７７０Ｈｚのサイレン音を発生するサイレン音発生回路２と、操作部１の操作に従い上記サイレン音の周波数を、例えば高音（ピー音）を８５０Ｈｚ、低音（ポー音）を６８０Ｈｚのように約１０％程度低くする周波数低減回路２と、操作部１の操作に従い上記サイレン音の出力を、道路運送車両の保安基準を満足する範囲で小さくする出力低減回路４と、マイクおよびカセットデッキ、ワイヤレスチューナー等の外部機器からの信号を取り入れるマイク／補助入力端子５と、サイレン音発生回路２およびマイク／補助入力端子５からの信号を増幅する増幅回路６と、該増幅回路６で増幅された信号をサイレン音として鳴動するスピーカー７とで構成されている。
【０００９】
操作部１の前面は、図２に示すように、操作パネルとなっており、複数のスイッチ等が備えられている。即ち、サイレン音発生回路１を作動するためのサイレンスイッチ８、サイレン音発生回路２を停止するための停止スイッチ９、周波数低減回路３を作動・停止するための住宅モードスイッチ１０、出力低減回路４を作動・停止させてサイレン音の音量を強・弱に切り換えるための音量切換スイッチ１１を設けている。サイレンスイッチ８は住宅モードスイッチ１０および音量切換スイッチ１１と連動しており、サイレンスイッチ８を入操作すると、住宅モードスイッチ１０が自動的に入操作されるとともに、音量切換スイッチ１１が弱音量切換位置に自動的に選択される。また、操作パネルには、マイクおよびカセットデッキ、ワイヤレスチューナー等の外部機器による警告を行なうためのマイク／補助スイッチ１２、サイレン音を試験するためのテストスイッチ１３、車両のルーフ上等に取付けられた警告灯を動作または停止させるための警告灯スイッチ１４が設けられている。更に、操作パネルには、マイクロホンを接続するためのマイク入力ジャック１５，１６、カセットデッキ、ワイヤレスチューナー等の外部機器を接続するための補助入力ジャック１７、該補助入力ジャック１７に接続されたカセットデッキ、ワイヤレスチューナー等の音量を調節するための補助音量調節用ボリューム１８、マイク入力ジャック１５，１６に接続されたマイク音量調節ボリューム１９が設けられている。
【００１０】
次に、本発明の作用を説明する。先ず、消防署等から出動する際に操作部１のサイレンスイッチ８を入操作すると、サイレンスイッチ８の入操作と連動して住宅モードスイッチ１０が自動的に入操作されるとともに、音量切換スイッチ１１が弱音量切換位置に自動的に選択され、これによりサイレン音発生回路２、周波数低減回路３および出力低減回路４が同時作動して住宅モード（音量弱）のサイレン音がスピーカー７から鳴動される。次に、住宅モードスイッチ１０を切操作すると、住宅モードスイッチ１０の切操作と連動して音量切換スイッチ１１が強音量切換位置に自動的に選択され、これにより周波数低減回路３および出力低減回路４が同時停止して標準モード（音量強）のサイレン音がスピーカー７から鳴動される。以後、住宅モードスイッチ１０を入・切操作すると、住宅モードスイッチ１０の入・切操作と連動して音量切換スイッチ１１が弱・強音量切換位置に自動的に切り換わり、これにより周波数低減回路３および出力低減回路４が同時作動・停止して住宅モード（音量弱）のサイレン音と標準モード（音量強）のサイレン音とを切り換えてスピーカー７から鳴動させることができる。一方、音量切換スイッチ１１を切換操作すると、出力低減回路４が作動・停止して音量弱のサイレン音と音量強のサイレン音とを切り換えてスピーカー７から鳴動させることができる。
【００１１】
次に、標準モード（音量強）または住宅モード（音量弱）のサイレン音をスピーカー７から鳴動させている状態で、停止スイッチ９を切操作すると、サイレン音発生回路２が停止してスピーカー７からの標準モード（音量強）または住宅モード（音量弱）のサイレン音が止まる。次に、停止スイッチ９を再度押すと、サイレン音発生回路２が作動して停止前のモードのサイレン音がスピーカー７から鳴動される。
【００１２】
本発明によれば、サイレンスイッチ８を入操作することによりサイレン音発生回路２、周波数低減回路３および出力低減回路４を同時作動できるとともに、住宅モードスイッチ１０を入・切操作することにより周波数低減回路３および出力低減回路４を同時作動・停止できるから、夜間や閑静な住宅地域、救急車の出動が頻繁な消防署周辺地域等において住宅モード（音量弱）のサイレン音を発生することができる。この住宅モード（音量弱）のサイレン音は、周波数を標準モード（音量強）のサイレン音より約１０％程度低く、かつ、出力を小さくすることにより、音量を確保しながら聴感的にソフトに聞こえるようにしたものである。このため、夜間や閑静な住宅地域、救急車の出動が頻繁な消防署周辺地域等でもサイレン音が迷惑がられることがないし、音量も道路運送車両の保安基準を満足する範囲の条件を満たしているので明瞭に聞き取ることができる。
【００１３】
尚、住宅モード（音量弱）のサイレン音を標準モード（音量弱）のサイレン音より周波数を約１０％程度低くした根拠は、緊急車両の前方２０ｍの位置からサイレンを聞き取るテストで、標準モードのサイレン音の周波数を１％ずつ低くして聞かせた結果、標準モードのサイレン音の周波数を１０％前後低くしたところでサイレン音が耳ざわりとなることもなく明瞭に聞き取ることができたからである。
【００１４】
以上は本発明の一実施形態を説明したもので、本発明はこの実施形態に限定されるものではなく、例えば音声合成装置を組み込むことも可能である。
【００１５】
【発明の効果】
以上説明した本発明によれば、サイレン音の周波数を低くして音量を確保しながら聴感的にソフトに聞こえるようにしたので、夜間や閑静な住宅地域、救急車の出動が頻繁な消防署周辺地域等においても迷惑とならず、しかも、道路運送車両の保安基準を満足する範囲で明瞭に聞き取ることができる。
【図面の簡単な説明】
【図１】  本発明の救急用電子サイレンのブロック図である。
【図２】  操作部の正面図である。
【符号の説明】
１  操作部
２  サイレン音発生回路
３  周波数低減回路
４  出力低減回路
５  マイク／補助入力端子
６  増幅回路
７  スピーカー
８  サイレンスイッチ
９  停止スイッチ
１０  住宅モードスイッチ
１１  音量切換スイッチ
【図１】
0004162826.tif 000002
【図２】
0004162826.tif 000003